(57)【特許請求の範囲】
【請求項１】
デジタル放送波を受信する地上デジタルテレビ受信機において、
前記デジタル放送波に含まれる付加情報を記憶する記憶部と、
視聴中の放送局が受信不可となった場合、前記デジタル放送波の視聴位置を示す位置情報に基づいて、前記記憶部から読み出した付加情報を参照し、視聴中の単一系列局の放送局と同一の放送局をクロスネット局のメイン系列およびサブ系列から検索して自動選局するか、視聴中のクロスネット局のメイン系列またはサブ系列の放送局と同一の放送局を単一系列局から検索して自動選局する制御部とを備え、
前記制御部は、クロスネット局の放送局の付加情報に含まれる複数の系列ＩＤは前記記憶部に格納せず、最も直近に選局された単一系列局の放送局の付加情報に含まれる系列ＩＤをラスト系列ＩＤとして前記記憶部に格納し、当該ラスト系列ＩＤと同一の系列ＩＤを有する放送局を検索して自動選局することを特徴とする地上デジタルテレビ受信機。
【発明の詳細な説明】
【技術分野】
【０００１】
この発明は、地上デジタルテレビ放送の受信に関し、特に放送エリアの境界を越えた場合にも視聴を継続させる受信機に関するものである。
【背景技術】
【０００２】
地上デジタル放送では、地方局の一部に複数の系列ＩＤを有するクロスネット局が存在している。このようなクロスネット局を同一系列局として選局可能とするため、特許文献１では、チャンネルサーチ時に受信可能と判断された放送局を、同じ系列の放送局はまとめて１つの選局キーに割り当てる手段が提案されている。
【先行技術文献】
【特許文献】
【０００３】
【特許文献１】特開２００６−１００９５３号公報
【発明の概要】
【発明が解決しようとする課題】
【０００４】
しかしながら、上述した特許文献１の受信方法では、単一系列局の放送エリアからクロスネット局の放送エリアへの移動時、およびクロスネット局の放送エリアから単一系列局の放送エリアへの移動時に、同一系列局を視聴するためには、ユーザが選局する操作が必要となり、特に車載用放送受信機においては、同乗者が操作することはあっても、運転者が操作を行うことは利便性にも安全性にも課題があった。
また、特許文献１の受信方法では、放送エリアを単一系列局からクロスネット局、さらに単一系列局へと移動した際、視聴中の放送局の系列ＩＤがクロスネット局のサブ系列であった場合、同一系列を選局し続けることは困難であるという課題があった。
【０００５】
この発明は上記のような課題を解決するためになされたもので、視聴中の番組がクロスネット局のサブ系列である場合にも、同一系列の放送局の視聴を継続することができる地上デジタルテレビ受信機を提供することを目的とする。
【課題を解決するための手段】
【０００６】
この発明は、デジタル放送波を受信する地上デジタルテレビ受信機において、デジタル放送波に含まれる付加情報を記憶する記憶部と、視聴中の放送局が受信不可となった場合、デジタル放送波の視聴位置を示す位置情報に基づいて、記憶部から読み出した付加情報を参照し、視聴中の単一系列局の放送局と同一の放送局をクロスネット局のメイン系列およびサブ系列から検索して自動選局するか、視聴中のクロスネット局のメイン系列またはサブ系列の放送局と同一の放送局を単一系列局から検索して自動選局する制御部とを備え、制御部は、クロスネット局の放送局の付加情報に含まれる複数の系列ＩＤは記憶部に格納せず、最も直近に選局された単一系列局の放送局の付加情報に含まれる系列ＩＤをラスト系列ＩＤとして記憶部に格納し、当該ラスト系列ＩＤと同一の系列ＩＤを有する放送局を検索して自動選局するように構成したものである。
【発明の効果】
【０００７】
この発明によれば、視聴中の放送局が受信不可となった場合、デジタル放送波の視聴位置を示す位置情報に基づいて、記憶部から読み出した付加情報を参照し、視聴中の単一系列局の放送局と同一の放送局をクロスネット局のメイン系列およびサブ系列から検索して自動選局するか、視聴中のクロスネット局のメイン系列またはサブ系列の放送局と同一の放送局を単一系列局から検索して自動選局する制御部とを備え、制御部は、クロスネット局の放送局の付加情報に含まれる複数の系列ＩＤは記憶部に格納せず、最も直近に選局された単一系列局の放送局の付加情報に含まれる系列ＩＤをラスト系列ＩＤとして記憶部に格納し、当該ラスト系列ＩＤと同一の系列ＩＤを有する放送局を検索して自動選局するように構成したので、ユーザが視聴している系列がクロスネット局のサブ系列である場合においても、ユーザはクロスネット局の放送エリアを意識することなく同一系列の放送局の視聴を継続することができる。
【図面の簡単な説明】
【０００８】
【図１】実施の形態１による地上デジタルテレビ受信機の構成を示すブロック図である。
【図２】実施の形態１による地上デジタルテレビ受信機の放送エリア間の移動を示す説明図である。
【図３】実施の形態１による地上デジタルテレビ受信機の放送局と系列ＩＤの一例を示す説明図である。
【図４】実施の形態１による地上デジタルテレビ受信機の動作を示すフローチャートである。
【図５】実施の形態１による地上デジタルテレビ受信機の放送エリア間の移動を示す説明図である。
【図６】実施の形態１による地上デジタルテレビ受信機の放送局と系列ＩＤの一例を示す説明図である。
【図７】実施の形態２による地上デジタルテレビ受信機の構成を示すブロック図である。
【図８】実施の形態２による地上デジタルテレビ受信機のデータベース作成動作を示すフローチャートである。
【図９】実施の形態２による地上デジタルテレビ受信機のデータベースの一例を示す説明図である。
【図１０】実施の形態２による地上デジタルテレビ受信機のクロスネット局番組表の一例を示す説明図である。
【図１１】実施の形態２による地上デジタルテレビ受信機の動作を示すフローチャートである。
【発明を実施するための形態】
【０００９】
実施の形態１．
図１は、この発明の実施の形態１による地上デジタルテレビ受信機の構成を示すブロック図である。
この地上デジタルテレビ受信機１０は、チューナ部１、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）復調部２、制御部３、操作部４、デコード部５、記憶部６を備えている。
チューナ部１は、アンテナ２０からデジタル放送波を受信してデジタル信号へ変換して出力する。ＯＦＤＭ復調部２は、チューナ部１から出力されるデジタル信号を復調してＴＳストリームを出力する。制御部３は、ＯＦＤＭ復調部２から出力されるＴＳストリームを映像／音声データと付加情報に分離して、映像／音声データはデコード部５へ出力し、付加情報は必要な情報のみを抽出して記憶部６へ格納する。ここでは、付加情報として少なくとも系列ＩＤが含まれているものとする。また、操作部４から出力されるユーザ操作情報(選局情報)を解析してチューナ部１を制御し、位置情報取得部３０から出力される現在地情報を解析して現在地を把握し、ＯＦＤＭ復調部２の受信状態情報(受信強度)を監視している。なお、位置情報取得部３０は、専用の位置情報取得部を設ける他、ナビゲーション装置を備えているときは、当該ナビゲーション装置から出力される位置情報を用いてもよい。
【００１０】
操作部４は、リモコン４０から出力されるユーザ操作情報を受信して制御部３へ出力する。デコード部５は、制御部３から出力される映像／音声データをデコードして表示機５０へ出力する。記憶部６は、制御部３において解析された付加情報を格納する。また、記憶部６は予め全国の放送エリアに対応した放送局情報を格納している。
【００１１】
図２は、車両Ｐが１つの系列ＩＤのみを持つ放送局だけが存在する放送エリア（以下、単一系列局放送エリアと称する）Ａから複数の系列ＩＤを持つ放送局が存在する放送エリア（以下、クロスネット局放送エリアと称する）Ｂに移動する場合を示している。また、図３に示すように、単一系列局放送エリアＡには、放送局Ａ０（系列ＩＤ＝０）、放送局Ａ１（系列ＩＤ＝１）、放送局Ａ２（系列ＩＤ＝２）および放送局Ａ３（系列ＩＤ＝３）が存在し、クロスネット局放送エリアＢには、放送局Ｂ０（系列ＩＤ＝０，１，２、メイン系列ＩＤ＝０）および放送局Ｂ３（系列ＩＤ＝３）が存在していることを示している。
【００１２】
図２および図３を参照しながら、実施の形態１の地上デジタルテレビ受信機の動作について説明する。
単一系列局放送エリアＡにて放送局Ａ１が選局されると、制御部３はＯＦＤＭ復調部２から出力されるＴＳストリームから付加情報に含まれる系列ＩＤ(例えば、「１」とする)を抽出して記憶部６へ格納する。放送局Ａ１を視聴している間、制御部３はＯＦＤＭ復調部２の受信状態情報(受信強度)を監視する。放送局Ａ１の単一系列局放送エリアＡからクロスネット局放送エリアＢに移動した場合、放送局Ａ１の受信状態は次第に悪化することになる。その際、制御部３は所定時間を越えて受信状態が悪化した場合に、位置情報取得部３０から出力される現在地情報と、記憶部６に格納されている全国の放送エリアに対応した放送局情報から、放送局Ａ１と同一の系列ＩＤを持つ放送局を検索する。検索の結果、複数の系列ＩＤ(例えば０/１/２の系列ＩＤを持ちメイン系列ＩＤは０)を持つクロスネット放送局Ｂ０が抽出された場合、放送局Ａ１の系列ＩＤ(＝１)は、放送局Ｂ０のサブ系列となるが、放送局Ａ１の同一系列局と判断して、放送局Ｂ０を選局するようチューナ部１を制御する。
【００１３】
次に、図２に示した単一系列放送エリアＡからクロスネット局放送エリアＢに移動する際の詳細な選局動作を図４のフローチャートに沿って説明する。図４は、実施の形態１による地上デジタルテレビ受信機の制御部の動作を示すフローチャートである。
単一系列局放送エリアＡにおいてリモコン４０を介してユーザ操作により放送局Ｘ（例えば、図３の放送局Ａ１）が選局された場合に、制御部３は操作部４から通知される選局情報に基づき放送局Ａ１を選局する（ステップＳＴ１）。次に、ＯＦＤＭ復調部２から出力されるＴＳストリームから付加情報のひとつである系列ＩＤを取得し（ステップＳＴ２）、取得した系列ＩＤが単一系列ＩＤであるか複数系列ＩＤであるか判定を行う（ステップＳＴ３）。
【００１４】
図２の例では、単一系列ＩＤであると判定されるため、放送局Ａ１の系列ＩＤ（＝１）をラスト系列ＩＤとして記憶部６に格納する（ステップＳＴ４）。次に、放送局Ａ１を視聴している間はＯＦＤＭ復調部２の受信状態情報（受信強度）を監視し（ステップＳＴ５）、受信状態悪化が所定時間継続しているか否か判定を行う（ステップＳＴ６）。例えば、車両Ｐが単一系列局放送エリアＡからクロスネット局放送エリアＢへ移動した場合、放送局Ａ１の受信状態は次第に悪化することになる。ステップＳＴ６において、受信状態悪化が所定時間継続していない場合にはステップＳＴ５の処理に戻り監視を継続する。
【００１５】
一方、ステップＳＴ６において、受信状態悪化が所定時間継続していると判定された場合には、位置情報取得部３０から出力される現在地情報を取得する（ステップＳＴ７）。次に、記憶部６に格納された全国放送エリアに対応した放送局情報から、ステップＳＴ７において取得した現在地情報に該当する放送局を抽出する（ステップＳＴ８）。さらに記憶部６から、ステップＳＴ４において格納したラスト系列ＩＤ（＝１）を取得する（ステップＳＴ９）。ステップＳＴ８において抽出した放送局の中から、ステップＳＴ９において取得したラスト系列ＩＤ（＝１）と同一系列ＩＤを持つ放送局を検索する（ステップＳＴ１０）。
【００１６】
ステップＳＴ１０の検索において、クロスネット局が含まれる場合にはメイン系列ＩＤのみではなく、サブ系列ＩＤも検索の対象とする。これにより系列ＩＤ（＝１）をサブ系列に持つ放送局Ｂ０が検出される。ステップＳＴ１０の検索の結果、複数の系列ＩＤを持つクロスネット放送局Ｂ０が抽出された場合、放送局Ａ１の系列ＩＤ（＝１）は、放送局Ｂ０のサブ系列となるが、放送局Ａ１の同一系列局と判断して放送局Ｂ０を選局するようにチューナ部１を制御する（ステップＳＴ１１）。
これにより、単一系列局放送エリアＡからクロスネット局放送エリアＢへ移動する際、ユーザは選局操作を行うことなく同一系列の放送局を視聴し続けることが可能となる。
【００１７】
図５は、車両Ｐがクロスネット局放送エリアＢから単一系列局放送エリアＣに移動する場合を示している。また、図６では、図３に加えて放送局Ｃ０（系列ＩＤ＝０）、放送局Ｃ１（ＩＤ＝１）、放送局Ｃ２（ＩＤ＝２）、放送局Ｃ３（ＩＤ＝３）の放送局が存在していることを示している。
【００１８】
次に、図５および図６を参照しながら、クロスネット局放送エリアＢから単一系列局放送エリアＣに移動する際の動作について図４のフローチャートに沿って説明する。
なお、上述した単一系列局放送エリアＡにおいて放送局Ａ１を選局後、クロスネット局放送エリアＢへ移動した際に、放送局Ａ１と同一系列をサブ系列にもつ放送局Ｂ０が自動選局された状態から、さらに単一系列局放送エリアＣへ移動する場合の動作を示す。
【００１９】
クロスネット局放送エリアＢにおいて放送局Ｘ（ここでは放送局Ｂ０）が自動選局される（ステップＳＴ１）。次に、ＯＦＤＭ復調部２から出力されるＴＳストリームから付加情報のひとつである系列ＩＤを取得し（ステップＳＴ２）、取得した系列ＩＤが単一系列ＩＤであるか複数系列ＩＤであるか判定を行う（ステップＳＴ３）。この図６の例では、複数系列ＩＤであると判定されるため、ラスト系列ＩＤの更新は実施せず、ステップＳＴ５の処理に進む。
【００２０】
次に、放送局Ｂ０を視聴している間はＯＦＤＭ復調部２の受信状態情報（受信強度）を監視し（ステップＳＴ５）、受信状態悪化が所定時間継続しているか否か判定を行う（ステップＳＴ６）。例えば、車両Ｐがクロスネット局放送エリアＢから単一系列局放送エリアＣへ移動した場合、放送局Ｂ０の受信状態は次第に悪化することになる。ステップＳＴ６において、受信状態悪化が所定時間継続していない場合にはステップＳＴ５の処理に戻り監視を継続する。
【００２１】
一方、ステップＳＴ６において、受信状態悪化が所定時間継続していると判定された場合には、位置情報取得部３０から出力される現在地情報を取得する（ステップＳＴ７）。次に、記憶部６に格納された全国放送エリアに対応した放送局情報から、ステップＳＴ７において取得した現在地情報に該当する放送局を抽出する（ステップＳＴ８）。さらに記憶部６から、格納されているラスト系列ＩＤ（＝１）を取得する（ステップＳＴ９）。
【００２２】
ステップＳＴ８において抽出した放送局の中から、ステップＳＴ９において取得したラスト系列ＩＤ（＝１）と同一系列ＩＤを持つ放送局を検索する（ステップＳＴ１０）。
ステップＳＴ１０の検索結果に基づき、放送局Ｃ１を選局するようにチューナ部１を制御する（ステップＳＴ１１）。
これにより、クロスネット局放送エリアＢから単一系列局放送エリアＣへの移動においても、ユーザは選局操作を行うことなく同一系列の放送局を視聴し続けることが可能となる。
【００２３】
以上のように、この実施の形態１によれば、単一系列局放送エリアで視聴していた系列局をメイン系列にもつ放送局がクロスネット局放送エリアに存在しない場合、視聴していた系列局をサブ系列にもつクロスネット局を自動選局するように構成したので、ユーザが単一系列局放送エリアからクロスネット局放送エリアへ移動した場合でも、選局操作を行うことなく、同一系列の放送局の視聴を継続することができる。
【００２４】
また、この実施の形態１によれば、クロスネット局放送エリアで視聴していた系列局がクロスネット局のサブ系列であった場合、記憶部６に格納したラスト系列ＩＤに従った系列の放送局を自動選局するように構成したので、ユーザがクロスネット局放送エリアから単一系列局放送エリアへ移動した場合でも、選局操作を行うことなく、同一系列の放送局の視聴を継続することができる。
【００２５】
実施の形態２．
図７は、この発明の実施の形態２による地上デジタルテレビ受信機の構成を示すブロック図である。図７に示すように、この実施の形態２では地上デジタルテレビ受信機１０に複数のチューナ部１ａ，１ｂおよび複数のＯＦＤＭ復調部２ａ，２ｂを設ける構成を示す。なお、実施の形態１による地上デジタルテレビ受信機１０と同一の構成には図１で使用した符号と同一の符号を付して説明を省略または簡略化する。
【００２６】
チューナ部（受信部）１ａは、アンテナ２０からデジタル放送波を受信し、視聴する放送局を選局してデジタル信号をＯＦＤＭ復調部２ａに出力する。一方、チューナ部（受信部）１ｂは、アンテナ２１からデジタル放送波を受信して現在地で受信可能な放送局をサーチして選局し、デジタル信号をＯＦＤＭ復調部２ｂに出力する。ＯＦＤＭ復調部２ａはチューナ部１ａから出力されるデジタル信号を復調してＴＳストリームを出力し、ＯＦＤＭ復調部２ｂはチューナ部１ｂから出力されるデジタル信号を復調してＴＳストリームを出力する。
【００２７】
制御部３は、ＯＦＤＭ復調部２ａ，２ｂから出力されるＴＳストリームを映像／音声データと付加情報に分離して、映像／音声データはデコード部５へ出力し、付加情報は必要な情報のみを抽出して記憶部６へ格納する。ここでは、付加情報として少なくとも系列ＩＤおよび番組情報が含まれているものとする。その際、制御部３はチューナ部１ｂを制御し、現在地において受信可能な放送局を周期的にサーチし、受信可能な放送局の系列ＩＤと番組情報を関連付けたデータベースを作成し、記憶部６に格納する。さらに、操作部４から出力されるユーザ操作情報(選局情報)を解析してチューナ部１ａを制御し、位置情報取得部３０から出力される現在地情報を解析して現在地を把握し、ＯＦＤＭ復調部２ａ，２ｂの受信状態情報(受信強度)を監視している。
【００２８】
次に、この実施の形態２による地上デジタルテレビ受信機１０のデータベース作成の動作について説明する。図８は、制御部３における受信可能な放送局の系列ＩＤと番組情報を関連付けたデータベースの作成を示すフローチャートである。
制御部３は、チューナ部１ｂを制御して現在地で受信可能な放送局Ｘをサーチして選局し（ステップＳＴ２１）、選局した放送局の系列ＩＤを取得する（ステップＳＴ２２）。
次に、ステップＳＴ２２において取得した系列ＩＤが単一系列ＩＤであるか複数系列ＩＤであるか判定を行う（ステップＳＴ２３）。ステップＳＴ２３において、単一系列ＩＤであると判定された場合には、系列ＩＤと番組情報を関連付けたデータベースを作成して記憶部６へ格納する（ステップＳＴ２４）。
【００２９】
一方、ステップＳＴ２３において複数系列ＩＤであると判定された場合には、ステップＳＴ２５の処理に進む。ステップＳＴ２５では、全てのチャンネルに対して上述の処理が実施されたか否か判定を行い、全てのチャンネルに対して行われたと判定された場合には処理を終了する。一方、全てのチャンネルに対して処理が行われていないと判定された場合には、ステップＳＴ２１に戻り上述の処理を繰り返す。
【００３０】
次に、図８のフローチャートに沿って、図５に示したクロスネット局放送エリアＢから単一系列局放送エリアＣへ移動する場合の動作を具体的に説明する。
図５に示すように、車両Ｐがクロスネット局放送エリアＢから単一系列局放送エリアＣへ移動した場合、図６に示すように、クロスネット局放送エリアＢには、放送局Ｂ０系列ＩＤ＝０，１，２、メイン系列ＩＤ＝０）および放送局Ｂ３（系列ＩＤ＝３）が存在し、例えば放送局Ｂ０が視聴中であるとする。また、単一系列局放送エリアＣには、放送局Ｃ０（系列ＩＤ＝０）、放送局Ｃ１（系列ＩＤ＝１）、放送局Ｃ２（系列ＩＤ＝２）および放送局Ｃ３（系列ＩＤ＝３）が存在している。
【００３１】
ここで制御部３は、チューナ部１ａを制御して放送局Ｂ０を選局すると共に、ステップＳＴ２１としてチューナ部１ｂを制御して現在地で受信可能な放送局を定期的にサーチしている。車両Ｐがクロスネット局放送エリアＢから単一系列局放送エリアＣへ移動した時点で、ステップＳＴ２２としてサーチしていた単一系列局放送エリアＣにおける放送局の系列ＩＤを取得する。ステップＳＴ２３として、この例では取得した系列ＩＤが単一系列ＩＤであると判定され、ステップＳＴ２４として系列ＩＤと番組情報を関連付けたデータベースを作成して記憶部６へ格納する。作成したデータベースの具体例を図９に示す。番組情報は、放送局名、物理チャンネル、番組名、番組開始／終了時刻などで構成されている。
【００３２】
次に、図１０および図１１を参照しながら作成したデータベースを用いて放送局を選局する動作について説明する。図１０は、クロスネット局の番組表の一例を示す説明図である。また、図１１は実施の形態２による地上デジタルテレビ受信機の制御部の動作を示すフローチャートである。実施の形態１の地上デジタルテレビ受信機と同一ステップには図４で使用した符号と同一の符号を付し、説明を簡略化する。
【００３３】
クロスネット局放送エリアＢにおいて放送局Ｘ（ここでは放送局Ｂ０）が選局されている（ステップＳＴ１）。ここで、例えば放送局Ｂ０は図１０の番組表に示すように、時刻１９：００には「○○バラエティ」、時刻２０：００には「○○スポーツ」、時刻２１：００には「教養○○」が放送される予定であり、現在時刻を１９：３０として「○○バラエティ」を視聴しているものとする。
【００３４】
制御部３は、放送局Ｂ０の系列ＩＤを取得する（ステップＳＴ２）と共に、放送局Ｂ０を視聴している間、ＯＦＤＭ２ａの受信状態情報（受信強度）を監視し（ステップＳＴ５）、受信状態悪化が所定時間継続しているか否か判定を行う（ステップＳＴ６）。車両Ｐがクロスネット局放送エリアＢから単一系列放送局エリアＣへ移動すると、ステップＳＴ６において受信状態悪化が所定時間継続していると判定され、記憶部６に格納されている単一系列放送エリアＣのデータベースを参照し（ステップＳＴ３１）、現在視聴中の番組情報と一致する放送局を検索する（ステップＳＴ３２）。
【００３５】
具体的には、現在視聴中の「○○バラエティ」は系列ＩＤ＝２であると判別し、単一系列放送局エリアＣのデータベースの中から系列ＩＤ＝２を有する放送局Ｃ２を検索する。ステップＳＴ３２の検索結果に基づき、放送局Ｃ２を選局するようにチューナ部１ａを制御する（ステップＳＴ１１）。
なお、視聴中の番組に該当する系列ＩＤが判別できない場合には、例えば放送局Ｂ０のメイン系列ＩＤ＝０を持つ放送局Ｃ０を選局するようにチューナ部１ａを制御するように構成してもよい。
【００３６】
以上のように、この実施の形態２によれば、単一系列局の放送エリアにおいて受信可能な放送局を周期的にサーチし、受信可能な放送局の系列ＩＤと番組情報を関連付けたデータベースを作成し、当該データベースを参照して視聴していた放送局に該当する系列ＩＤを持つ単一系列局の放送局を自動選局するように構成したので、ユーザがクロスネット局放送エリアから単一系列局放送エリアへ移動した場合でも、選局操作を行うことなく同一系列および同一番組の放送局の視聴を継続することができる。
【符号の説明】
【００３７】
１，１ａ，１ｂ  チューナ部、２，２ａ，２ｂ  ＯＦＤＭ復調部、３  制御部、４  操作部、５  デコード部、６  記憶部、１０  地上デジタルテレビ受信機、２０，２１  アンテナ、３０  位置情報取得部、４０  リモコン。
【図１】
0005398643.tif 000002
【図２】
0005398643.tif 000003
【図３】
0005398643.tif 000004
【図４】
0005398643.tif 000005
【図５】
0005398643.tif 000006
【図６】
0005398643.tif 000007
【図７】
0005398643.tif 000008
【図８】
0005398643.tif 000009
【図９】
0005398643.tif 000010
【図１０】
0005398643.tif 000011
【図１１】
0005398643.tif 000012